【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
複数の電池を充電する充電装置であって、
前記各電池の電圧を検出し、この検出した各電池の電圧に関する指標に基づき、少なくとも１位及び２位の充電順位を決定する順位決定手段と、
この順位決定手段により決定された充電順位１の電池を充電する充電手段と、
この充電手段により充電された前記充電順位１の電池の電圧に関する指標が、充電順位２の電池の電圧に関する指標を所定以上超えたか否かを判断する第１の判断手段と、
この第１の判断手段により、充電順位１の電池の電圧に関する指標が充電順位２の電池の電圧に関する指標を所定以上超えたと判断された場合、前記順位決定手段を再動作させる充電制御手段と
を備えることを特徴とする充電装置。
【請求項２】
前記充電制御手段は、再動作させた前記順位決定手段により決定された充電順位に基づいて、繰り返し充電処理を実行することを特徴とする請求項１記載の充電装置。
【請求項３】
前記各電池の充電量が所定値を超えたか否かを判断する第２の判断手段をさらに備え、
前記充電制御手段は、前記第２の判断手段により前記各電池の充電量が第1の所定値を超えたと判断された場合、前記順位決定手段を再動作させることなく、前記各電池を所定の時間ずつ順次充電する充電処理に移行することを特徴とする請求項１又は２記載の充電装置。
【請求項４】
前記各電池が満充電となったか否か、又は各電池の充電量が第２の所定値を超えたか否かを判断する第３の判断手段をさらに備え、
前記充電制御手段は、前記第３の判断手段により前記各電池が満充電となったか、或いは充電量が第２の所定値を超えたと判断された場合、前記順位決定手段を再動作させることなく、充電終了処理を実行することを特徴とする請求項１〜３のいずれか記載の充電装置。
【請求項５】
前記第１の判断手段は、前記充電順位１の電池の電池が満充電となったか否かをさらに判断し、
前記充電制御手段は、前記第１の判断手段により、前記充電順位１の電池の電池が満充電となったと判断された場合に、前記順位決定手段を再動作させる
ことを特徴とする請求項１〜４のいずれか記載の充電装置。
【請求項６】
前記順位決定手段は、
前記各電池の充電開始時における電圧を検出する検出手段と、
前記電圧に関する指標として、この検出手段により検出された当該各電圧に基づき、前記充電順位を決定する決定手段と
を備えることを特徴とする請求項１〜５のいずれか記載の充電装置。
【請求項７】
前記決定手段は、前記検出手段により検出された当該各電圧が低い順に充電を行うように前記充電順位を決定することを特徴とする請求項６記載の充電装置。
【請求項８】
前記複数の電池の満充電時の電圧が、同一であることを特徴とする請求項６又は７記載の充電装置。
【請求項９】
前記順位決定手段は、
前記各電池の充電開始時における電圧を検出する検出手段と、
この検出手段により検出された各電池の電圧の、当該各電池の満充電時の電圧に対する割合を算出する算出手段と、
前記電圧に関する指標として、この算出手段により算出された前記割合に基づき、前記充電順位を決定する決定手段とを備えることを特徴とする請求項１〜５のいずれか記載の充電装置。
【請求項１０】
前記決定手段は、前記算出手段により算出された前記割合が小さい順に充電を行うように前記充電順位を決定することを特徴とする請求項９記載の充電装置。
【請求項１１】
前記各電池の満充電時の電圧値が、それぞれ異なることを特徴とする請求項９または１０記載の充電装置。
【請求項１２】
前記順位決定手段は、
前記各電池の充電開始時における電圧を検出する検出手段と、
前記電圧に関する指標として、この検出手段で検出された前記各電池の電圧と、当該各電池にそれぞれ接続されている負荷の大きさと、に基づき、前記充電順位を決定する決定手段と
を備えることを特徴とする請求項１〜５のいずれか記載の充電装置。
【請求項１３】
前記決定手段は、前記各電池において、前記検出手段により検出された電圧の大きさの、前記接続される負荷の大きさに対する割合を算出する算出手段をさらに備えることを特徴とする請求項１２記載の充電装置。
【請求項１４】
前記決定手段は、前記算出手段により算出された前記割合が小さい順に前記充電を行うように前記充電順位を決定することを特徴とする請求項１３記載の充電装置。
【請求項１５】
前記各電池に接続されている負荷の大きさがそれぞれ異なることを特徴とする請求項１２〜１４のいずれか記載の充電装置。
【請求項１６】
複数の電池を充電する充電装置が有するコンピュータを、
前記各電池の電圧を検出し、この検出した各電池の電圧に関する指標に基づき、少なくとも１位及び２位の充電順位を決定する順位決定手段と、
この順位決定手段により決定された充電順位１の電池を充電する充電手段と、
この充電手段により充電された前記充電順位１の電池の電圧に関する指標が、充電順位２の電池の電圧に関する指標を所定以上超えたか否かを判断する第１の判断手段と、
この第１の判断手段により、充電順位１の電池の電圧に関する指標が充電順位２の電池の電圧に関する指標を所定以上超えたと判断された場合、前記順位決定手段を再動作させる充電制御手段と
して機能させることを特徴とする充電制御プログラム。
【請求項１７】
複数の電池を充電する充電装置における充電方法であって、
前記各電池の電圧を検出し、この検出した各電池の電圧に関する指標に基づき、少なくとも１位及び２位の充電順位を決定する順位決定工程と、
この順位決定工程により決定された充電順位１の電池を充電する充電工程と、
この充電工程により充電された前記充電順位１の電池の電圧に関する指標が、充電順位２の電池の電圧に関する指標を所定以上超えたか否かを判断する判断工程と、
この判断工程により、充電順位１の電池の電圧に関する指標が充電順位２の電池の電圧に関する指標を所定以上超えたと判断された場合、前記順位決定工程を再実行させる充電制御工程と
を含むことを特徴とする充電方法。
【手続補正２】
【補正対象書類名】明細書
【補正対象項目名】０００９
【補正方法】変更
【補正の内容】
【０００９】
前記課題を解決するため請求項１記載の発明に係る充電装置にあっては、複数の電池を充電する充電装置であって、前記各電池の電圧を検出し、この検出した各電池の電圧に関する指標に基づき、少なくとも１位及び２位の充電順位を決定する順位決定手段と、この順位決定手段により決定された充電順位１の電池を充電する充電手段と、この充電手段により充電された前記充電順位１の電池の電圧に関する指標が、充電順位２の電池の電圧に関する指標を所定以上超えたか否かを判断する第１の判断手段と、この第１の判断手段により、充電順位１の電池の電圧に関する指標が充電順位２の電池の電圧に関する指標を所定以上超えたと判断された場合、前記順位決定手段を再動作させる充電制御手段とを備えることを特徴とする。
【手続補正３】
【補正対象書類名】明細書
【補正対象項目名】００１０
【補正方法】変更
【補正の内容】
【００１０】
また、請求項２記載の発明に係る充電装置にあっては、前記充電制御手段は、再動作させた前記順位決定手段により決定された充電順位に基づいて、繰り返し充電処理を実行することを特徴とする。
また、請求項３記載の発明に係る充電装置にあっては、前記各電池の充電量が所定値を超えたか否かを判断する第２の判断手段をさらに備え、前記充電制御手段は、前記第２の判断手段により前記各電池の充電量が第1の所定値を超えたと判断された場合、前記順位決定手段を再動作させることなく、前記各電池を所定の時間ずつ順次充電する充電処理に移行することを特徴とする。
また、請求項４記載の発明に係る充電装置にあっては、前記各電池が満充電となったか否か、又は各電池の充電量が第２の所定値を超えたか否かを判断する第３の判断手段をさらに備え、前記充電制御手段は、前記第３の判断手段により前記各電池が満充電となったか、或いは充電量が第２の所定値を超えたと判断された場合、前記順位決定手段を再動作させることなく、充電終了処理を実行することを特徴とする。
【手続補正４】
【補正対象書類名】明細書
【補正対象項目名】００１１
【補正方法】変更
【補正の内容】
【００１１】
また、請求項５記載の発明に係る充電装置にあっては、前記第１の判断手段は、前記充電順位１の電池の電池が満充電となったか否かをさらに判断し、前記充電制御手段は、前記第１の判断手段により、前記充電順位１の電池の電池が満充電となったと判断された場合に、前記順位決定手段を再動作させることを特徴とする。
【手続補正５】
【補正対象書類名】明細書
【補正対象項目名】００１２
【補正方法】変更
【補正の内容】
【００１２】
また、請求項６記載の発明に係る充電装置にあっては、前記順位決定手段は、前記各電池の充電開始時における電圧を検出する検出手段と、前記電圧に関する指標として、この検出手段により検出された当該各電圧に基づき、前記充電順位を決定する決定手段とを備えることを特徴とする。
また、請求項７記載の発明に係る充電装置にあっては、前記決定手段は、前記検出手段により検出された当該各電圧が低い順に充電を行うように前記充電順位を決定することを特徴とする。
【手続補正６】
【補正対象書類名】明細書
【補正対象項目名】００１３
【補正方法】変更
【補正の内容】
【００１３】
また、請求項８記載の発明に係る充電装置にあっては、前記複数の電池の満充電時の電圧が、同一であることを特徴とする。
【手続補正７】
【補正対象書類名】明細書
【補正対象項目名】００１４
【補正方法】変更
【補正の内容】
【００１４】
また、請求項９記載の発明に係る充電装置にあっては、前記順位決定手段は、前記各電池の充電開始時における電圧を検出する検出手段と、この検出手段により検出された各電池の電圧の、当該各電池の満充電時の電圧に対する割合を算出する算出手段と、前記電圧に関する指標として、この算出手段により算出された前記割合に基づき、前記充電順位を決定する決定手段とを備えることを特徴とする。
【手続補正８】
【補正対象書類名】明細書
【補正対象項目名】００１５
【補正方法】変更
【補正の内容】
【００１５】
また、請求項１０記載の発明に係る充電装置にあっては、前記決定手段は、前記算出手段により算出された前記割合が小さい順に充電を行うように前記充電順位を決定することを特徴とする。
【手続補正９】
【補正対象書類名】明細書
【補正対象項目名】００１６
【補正方法】変更
【補正の内容】
【００１６】
また、請求項１１記載の発明に係る充電装置にあっては、前記各電池の満充電時の電圧値が、それぞれ異なることを特徴とする。
【手続補正１０】
【補正対象書類名】明細書
【補正対象項目名】００１７
【補正方法】変更
【補正の内容】
【００１７】
また、請求項１２記載の発明に係る充電装置にあっては、前記順位決定手段は、前記各電池の充電開始時における電圧を検出する検出手段と、前記電圧に関する指標として、この検出手段で検出された前記各電池の電圧と、当該各電池にそれぞれ接続されている負荷の大きさと、に基づき、前記充電順位を決定する決定手段とを備えることを特徴とする。
【手続補正１１】
【補正対象書類名】明細書
【補正対象項目名】００１８
【補正方法】変更
【補正の内容】
【００１８】
また、請求項１３記載の発明に係る充電装置にあっては、前記決定手段は、前記各電池において、前記検出手段により検出された電圧の大きさの、前記接続される負荷の大きさに対する割合を算出する算出手段をさらに備えることを特徴とする。
【手続補正１２】
【補正対象書類名】明細書
【補正対象項目名】００１９
【補正方法】変更
【補正の内容】
【００１９】
また、請求項１４記載の発明に係る充電装置にあっては、前記決定手段は、前記算出手段により算出された前記割合が小さい順に前記充電を行うように前記充電順位を決定することを特徴とする。
【手続補正１３】
【補正対象書類名】明細書
【補正対象項目名】００２０
【補正方法】変更
【補正の内容】
【００２０】
また、請求項１５記載の発明に係る充電装置にあっては、前記各電池に接続されている負荷の大きさがそれぞれ異なることを特徴とする。
【手続補正１４】
【補正対象書類名】明細書
【補正対象項目名】００２１
【補正方法】変更
【補正の内容】
【００２１】
また、請求項１６記載の発明に係る充電制御プログラムにあっては、複数の電池を充電する充電装置が有するコンピュータを、前記各電池の電圧を検出し、この検出した各電池の電圧に関する指標に基づき、少なくとも１位及び２位の充電順位を決定する順位決定手段と、この順位決定手段により決定された充電順位１の電池を充電する充電手段と、この充電手段により充電された前記充電順位１の電池の電圧に関する指標が、充電順位２の電池の電圧に関する指標を所定以上超えたか否かを判断する第１の判断手段と、この第１の判断手段により、充電順位１の電池の電圧に関する指標が充電順位２の電池の電圧に関する指標を所定以上超えたと判断された場合、前記順位決定手段を再動作させる充電制御手段として機能させることを特徴とする。
【手続補正１５】
【補正対象書類名】明細書
【補正対象項目名】００２２
【補正方法】変更
【補正の内容】
【００２２】
また、請求項１７記載の発明に係る充電方法にあっては、複数の電池を充電する充電装置における充電方法であって、前記各電池の電圧を検出し、この検出した各電池の電圧に関する指標に基づき、少なくとも１位及び２位の充電順位を決定する順位決定工程と、この順位決定工程により決定された充電順位１の電池を充電する充電工程と、この充電工程により充電された前記充電順位１の電池の電圧に関する指標が、充電順位２の電池の電圧に関する指標を所定以上超えたか否かを判断する判断工程と、この判断工程により、充電順位１の電池の電圧に関する指標が充電順位２の電池の電圧に関する指標を所定以上超えたと判断された場合、前記順位決定工程を再実行させる充電制御工程とを含むことを特徴とする。
【手続補正１６】
【補正対象書類名】明細書
【補正対象項目名】００２３
【補正方法】変更
【補正の内容】
【００２３】
本発明によれば、必要電池残量まで早期に充電することが可能となる。